(57)【特許請求の範囲】
【請求項１】
複数の異なる色光を射出する光源と、複数の光走査器と、前記複数の光走査器を回転させる回転手段と、少なくとも一つの走査レンズとを備え、
前記光走査器は、回転軸に対して所定角度で傾斜した線分が、回転軸を中心として周回しながら同時に回転軸方向に移動することによって得られる軌跡によって形成される反射面を有し、
前記各色光を前記光走査器の前記反射面にそれぞれ入射させ、反射させた後、前記走査レンズを通過させて、被照明領域を複数の異なる色光で順次走査することを特徴とする照明光学装置。
【請求項２】
赤、青、緑の各色光に対応する３個の光走査器を有し、前記３個の光走査器は互いに所定の位相差を保ちながら回転することを特徴とする請求項１に記載の照明光学装置。
【請求項３】
前記走査レンズは前記複数の光走査器に一対一に対応して設けられており、前記複数の光走査器の反射面で反射した前記各色光は、それぞれ対応する前記走査レンズに入射することを特徴とする請求項１に記載の照明光学装置。
【請求項４】
前記走査レンズは一つのみ設けられており、前記複数の光走査器の反射面で反射した前記各色光は、いずれも共通する前記走査レンズに入射することを特徴とする請求項１に記載の照明光学装置。
【請求項５】
複数の異なる色光を射出する光源と、複合光走査器と、前記複合光走査器を回転させる回転手段と、少なくとも一つの走査レンズとを備え、
前記複合光走査器は、回転軸に対して所定の角度で傾斜した線分が、回転軸を中心として周回しながら同時に回転軸方向に移動することによって得られる軌跡によって形成される反射面を、回転軸方向に複数個有し、
前記各色光を前記複合光走査器の反射面にそれぞれ入射させ、反射させた後、前記走査レンズを通過させて、被照明領域を複数の異なる色光で順次走査することを特徴とする照明光学装置。
【請求項６】
前記複合光走査器は、回転軸回りに相互に所定の位相差を有する３個の反射面を有することを特徴とする請求項５に記載の照明光学装置。
【請求項７】
前記走査レンズは前記複数の反射面に一対一に対応して設けられており、前記複数の反射面で反射した前記各色光は、それぞれ対応する前記走査レンズに入射することを特徴とする請求項５に記載の照明光学装置。
【請求項８】
前記走査レンズは一つのみ設けられており、前記複数の反射面で反射した前記各色光は、いずれも共通する前記走査レンズに入射することを特徴とする請求項５に記載の照明光学装置。
【請求項９】
白色光を射出する光源と、複合光走査器と、前記複合光走査器を回転させる回転手段と、少なくとも一つの走査レンズとを備え、
前記複合光走査器は、回転軸に対して所定の角度で傾斜した線分が、回転軸を中心として周回しながら同時に回転軸方向に移動することによって得られる軌跡によって形成されるダイクロイックミラー面を、回転軸方向に複数個有し、
前記白色光を前記複合光走査器の前記複数のダイクロイックミラー面に順次入射させ、複数の異なる色光に分光して反射させた後、前記走査レンズを通過させて、被照明領域を複数の異なる色光で順次走査することを特徴とする照明光学装置。
【請求項１０】
前記複合光走査器は、回転軸回りに相互に所定の位相差を有する３個のダイクロイックミラー面を有することを特徴とする請求項９に記載の照明光学装置。
【請求項１１】
前記複数のダイクロイックミラー面は白色光が入射する側から順番に青、緑、赤を反射する特性を有することを特徴とする請求項９に記載の照明光学装置。
【請求項１２】
前記複数のダイクロイックミラー面は白色光が入射する側から順番に赤、緑、青を反射する特性を有することを特徴とする請求項９に記載の照明光学装置。
【請求項１３】
前記走査レンズは前記複数のダイクロイックミラー面に一対一に対応して設けられており、前記複数のダイクロイックミラー面で反射した前記各色光は、それぞれ対応する前記走査レンズに入射することを特徴とする請求項９に記載の照明光学装置。
【請求項１４】
前記走査レンズは一つのみ設けられており、前記複数のダイクロイックミラー面で反射した前記各色光は、いずれも共通する前記走査レンズに入射することを特徴とする請求項９に記載の照明光学装置。
【請求項１５】
複数の異なる色光を射出する光源と、中空部を有する複合光走査器と、前記複合光走査器の中空部に配置された複数の第３の反射面と、前記複合光走査器を回転させる回転手段と、少なくとも一つの走査レンズとを備え、
前記複合光走査器は、
回転軸に対して所定の角度で傾斜した線分が、回転軸を中心として周回しながら同時に回転軸方向に移動することによって得られる軌跡によって形成される、回転軸方向に配置された複数の第１の反射面と、
回転軸に対して所定の角度で傾斜した線分が、回転軸を中心として周回することによって得られる軌跡によって形成される、回転軸方向に配置された複数の第２の反射面とを有し、
前記各色光を前記複合光走査器の回転軸と略平行な方向から前記第３の反射面にそれぞれ入射させ、前記回転軸と略直角方向に反射させ、前記第２の反射面で反射させ、更に前記第１の反射面で反射させた後、前記走査レンズを通過させて、被照明領域を複数の異なる色光で順次走査することを特徴とする照明光学装置。
【請求項１６】
前記複合光走査器は、回転軸回りに相互に所定の位相差を有する３個の第１の反射面を有することを特徴とする請求項１５に記載の照明光学装置。
【請求項１７】
白色光を射出する光源と、中空部を有する複合光走査器と、前記複合光走査器の中空部に配置された複数のダイクロイックミラー面と、前記複合光走査器を回転させる回転手段と、少なくとも一つの走査レンズとを備え、
前記複合光走査器は、
回転軸に対して所定の角度で傾斜した線分が、回転軸を中心として周回しながら同時に回転軸方向に移動することによって得られる軌跡によって形成される、回転軸方向に配置された複数の第１の反射面と、
回転軸に対して所定の角度で傾斜した線分が、回転軸を中心として周回することによって得られる軌跡によって形成される、回転軸方向に配置された複数の第２の反射面とを有し、
前記白色光を前記複合光走査器の回転軸と略平行な方向から前記複数のダイクロイックミラー面に順次入射させ、前記回転軸と略直角方向に分光反射させ、分光反射した複数の異なる色光をそれぞれ前記第２の反射面で反射させ、更に前記第１の反射面で反射させた後、前記走査レンズを通過させて、被照明領域を複数の異なる色光で順次走査することを特徴とする照明光学装置。
【請求項１８】
前記複合光走査器は、回転軸回りに相互に所定の位相差を有する３個の第１の反射面を有することを特徴とする請求項１７に記載の照明光学装置。
【請求項１９】
前記複数のダイクロイックミラー面は白色光が入射する側から順番に青、緑、赤を反射する特性を有することを特徴とする請求項１７に記載の照明光学装置。
【請求項２０】
前記複数のダイクロイックミラー面は白色光が入射する側から順番に赤、緑、青を反射する特性を有することを特徴とする請求項１７に記載の照明光学装置。
【請求項２１】
複数の異なる色光を射出する光源と、中空部を有する複合光走査器と、前記複合光走査器の中空部に配置された複数の第２の反射面と、前記複合光走査器を回転させる回転手段と、複数の第３の反射面と、少なくとも一つの走査レンズとを備え、
前記複合光走査器は、回転軸に対して所定の角度で傾斜した線分が、回転軸を中心として周回しながら同時に回転軸方向に移動することによって得られる軌跡によって形成される第１の反射面を、回転軸方向に複数個有し、
前記各色光を前記複合光走査器の回転軸と略平行な方向から前記第２の反射面にそれぞれ入射させ、前記回転軸と略直角方向に反射させ、前記第３の反射面で反射させ、更に前記第１の反射面で反射させた後、前記走査レンズを通過させて、被照明領域を複数の異なる色光で順次走査することを特徴とする照明光学装置。
【請求項２２】
前記複合光走査器は、回転軸回りに相互に所定の位相差を有する３個の第１の反射面を有することを特徴とする請求項２１に記載の照明光学装置。
【請求項２３】
白色光を射出する光源と、中空部を有する複合光走査器と、前記複合光走査器の中空部に配置された複数のダイクロイックミラー面と、前記複合光走査器を回転させる回転手段と、複数の第２の反射面と、少なくとも一つの走査レンズとを備え、
前記複合光走査器は、回転軸に対して所定の角度で傾斜した線分が、回転軸を中心として周回しながら同時に回転軸方向に移動することによって得られる軌跡によって形成される第１の反射面を、回転軸方向に複数個有し、
前記白色光を前記複合光走査器の回転軸と略平行な方向から前記複数のダイクロイックミラー面に順次入射させ、前記回転軸と略直角方向に分光反射させ、分光反射した複数の異なる色光をそれぞれ前記第２の反射面で反射させ、更に前記第１の反射面で反射させた後、前記走査レンズを通過させて、被照明領域を複数の異なる色光で順次走査することを特徴とする照明光学装置。
【請求項２４】
前記複合光走査器は、回転軸回りに相互に所定の位相差を有する３個の第１の反射面を有することを特徴とする請求項２３に記載の照明光学装置。
【請求項２５】
前記複数のダイクロイックミラー面は白色光が入射する側から順番に青、緑、赤を反射する特性を有することを特徴とする請求項２３に記載の照明光学装置。
【請求項２６】
前記複数のダイクロイックミラー面は白色光が入射する側から順番に赤、緑、青を反射する特性を有することを特徴とする請求項２３に記載の照明光学装置。
【請求項２７】
前記走査レンズは前記複数の第１の反射面に一対一に対応して設けられており、前記複数の第１の反射面で反射した前記各色光は、それぞれ対応する前記走査レンズに入射することを特徴とする請求項１５、１７、２１、又は２３に記載の照明光学装置。
【請求項２８】
前記走査レンズは一つのみ設けられており、前記複数の第１の反射面で反射した前記各色光は、いずれも共通する前記走査レンズに入射することを特徴とする請求項１５、１７、２１、又は２３に記載の照明光学装置。
【請求項２９】
前記所定の位相差が１２０度であることを特徴とする請求項２，６，１０，１６，１８，２２，又は２４に記載の照明光学装置。
【請求項３０】
前記中空部を有する複合光走査器は、光透過性を有する部材を含むことを特徴とする請求項１５，１７、２１，又は２３に記載の照明光学装置。
【請求項３１】
前記光透過性を有する部材の光透過率は７０％以上であることを特徴とする請求項３０に記載の照明光学装置。
【請求項３２】
請求項１，５，９，１５，１７，２１，又は２３に記載の照明光学装置と、光変調装置と、光変調装置を駆動する電子回路と、投写光学装置とからなることを特徴とする投写映像装置。
【請求項３３】
請求項３２に記載の投写映像装置とスクリーンとを筐体に納めた一体型映像表示装置。
【発明の詳細な説明】
【０００１】
【発明の属する技術分野】
本発明は、複数の異なる色光で順次走査する照明光学装置、及びそれを用いた投写映像装置、並びに投写映像装置を用いた一体型映像表示装置に関するものである。
【０００２】
【従来の技術】
複数の異なる色光で光弁を順次走査して映像を拡大投射する装置は、特開平６−３１９１４８号公報により知られている。該装置では、同軸に配置され、互いに３０度だけ回転角がずれた第１、第２および第３の多角形プリズムを回転させることで、各プリズムに入射した各色光が屈折作用を受けて光弁上を順次走査する。
【０００３】
【発明が解決しようとする課題】
上記のように、回転する多角形プリズムに色光を入射させ、屈折作用により偏向させるため、走査の直線性がプリズムを構成する面数に依存する。直線性を高めるにはプリズムの面数を増やして多面化をする必要があるが、色光が入射するプリズムの各面の大きさは一定の大きさを確保しなければならないから、多面化に伴いプリズムの大きさも必然的に大きくしなければならない。また、大きなプリズムを回転させるには回転手段としてのモータ等に大きな回転トルクが必要となる。さらに、エッジを有するプリズムを回転させる場合、風損の発生が大きくなりがちで、さらに大きな回転トルクを必要とする。これらはコストの上昇と消費電力の増大を招く。加えて、風損の発生は騒音を発生させる原因にもなり、映像を視聴する際に大きな障害になる。
【０００４】
本発明はかかる従来の問題点に鑑み、走査の直線性の向上、風損の低減、低コスト化、低消費電力化、低騒音化を実現する照明光学装置、投写映像装置、及び一体型映像表示装置を提供することを目的とする。
【０００５】
【課題を解決するための手段】
本発明は上記の目的を達成するために以下の構成とする。
【０００６】
本発明の第１の照明光学装置は、複数の異なる色光を射出する光源と、複数の光走査器と、前記複数の光走査器を回転させる回転手段と、少なくとも一つの走査レンズとを備え、前記光走査器は、回転軸に対して所定角度で傾斜した線分が、回転軸を中心として周回しながら同時に回転軸方向に移動することによって得られる軌跡によって形成される反射面を有し、前記各色光を前記光走査器の前記反射面にそれぞれ入射させ、反射させた後、前記走査レンズを通過させて、被照明領域を複数の異なる色光で順次走査することを特徴とする。
【０００７】
また、本発明の第２の照明光学装置は、複数の異なる色光を射出する光源と、複合光走査器と、前記複合光走査器を回転させる回転手段と、少なくとも一つの走査レンズとを備え、前記複合光走査器は、回転軸に対して所定の角度で傾斜した線分が、回転軸を中心として周回しながら同時に回転軸方向に移動することによって得られる軌跡によって形成される反射面を、回転軸方向に複数個有し、前記各色光を前記複合光走査器の反射面にそれぞれ入射させ、反射させた後、前記走査レンズを通過させて、被照明領域を複数の異なる色光で順次走査することを特徴とする。
【０００８】
また、本発明の第３の照明光学装置は、白色光を射出する光源と、複合光走査器と、前記複合光走査器を回転させる回転手段と、少なくとも一つの走査レンズとを備え、前記複合光走査器は、回転軸に対して所定の角度で傾斜した線分が、回転軸を中心として周回しながら同時に回転軸方向に移動することによって得られる軌跡によって形成されるダイクロイックミラー面を、回転軸方向に複数個有し、前記白色光を前記複合光走査器の前記複数のダイクロイックミラー面に順次入射させ、複数の異なる色光に分光して反射させた後、前記走査レンズを通過させて、被照明領域を複数の異なる色光で順次走査することを特徴とする。
【０００９】
また、本発明の第４の照明光学装置は、複数の異なる色光を射出する光源と、中空部を有する複合光走査器と、前記複合光走査器の中空部に配置された複数の第３の反射面と、前記複合光走査器を回転させる回転手段と、少なくとも一つの走査レンズとを備え、前記複合光走査器は、回転軸に対して所定の角度で傾斜した線分が、回転軸を中心として周回しながら同時に回転軸方向に移動することによって得られる軌跡によって形成される、回転軸方向に配置された複数の第１の反射面と、回転軸に対して所定の角度で傾斜した線分が、回転軸を中心として周回することによって得られる軌跡によって形成される、回転軸方向に配置された複数の第２の反射面とを有し、前記各色光を前記複合光走査器の回転軸と略平行な方向から前記第３の反射面にそれぞれ入射させ、前記回転軸と略直角方向に反射させ、前記第２の反射面で反射させ、更に前記第１の反射面で反射させた後、前記走査レンズを通過させて、被照明領域を複数の異なる色光で順次走査することを特徴とする。
【００１０】
また、本発明の第５の照明光学装置は、白色光を射出する光源と、中空部を有する複合光走査器と、前記複合光走査器の中空部に配置された複数のダイクロイックミラー面と、前記複合光走査器を回転させる回転手段と、少なくとも一つの走査レンズとを備え、前記複合光走査器は、回転軸に対して所定の角度で傾斜した線分が、回転軸を中心として周回しながら同時に回転軸方向に移動することによって得られる軌跡によって形成される、回転軸方向に配置された複数の第１の反射面と、回転軸に対して所定の角度で傾斜した線分が、回転軸を中心として周回することによって得られる軌跡によって形成される、回転軸方向に配置された複数の第２の反射面とを有し、前記白色光を前記複合光走査器の回転軸と略平行な方向から前記複数のダイクロイックミラー面に順次入射させ、前記回転軸と略直角方向に分光反射させ、分光反射した複数の異なる色光をそれぞれ前記第２の反射面で反射させ、更に前記第１の反射面で反射させた後、前記走査レンズを通過させて、被照明領域を複数の異なる色光で順次走査することを特徴とする。
【００１１】
また、本発明の第６の照明光学装置は、複数の異なる色光を射出する光源と、中空部を有する複合光走査器と、前記複合光走査器の中空部に配置された複数の第２の反射面と、前記複合光走査器を回転させる回転手段と、複数の第３の反射面と、少なくとも一つの走査レンズとを備え、前記複合光走査器は、回転軸に対して所定の角度で傾斜した線分が、回転軸を中心として周回しながら同時に回転軸方向に移動することによって得られる軌跡によって形成される第１の反射面を、回転軸方向に複数個有し、前記各色光を前記複合光走査器の回転軸と略平行な方向から前記第２の反射面にそれぞれ入射させ、前記回転軸と略直角方向に反射させ、前記第３の反射面で反射させ、更に前記第１の反射面で反射させた後、前記走査レンズを通過させて、被照明領域を複数の異なる色光で順次走査することを特徴とする。
【００１２】
また、本発明の第７の照明光学装置は、白色光を射出する光源と、中空部を有する複合光走査器と、前記複合光走査器の中空部に配置された複数のダイクロイックミラー面と、前記複合光走査器を回転させる回転手段と、複数の第２の反射面と、少なくとも一つの走査レンズとを備え、前記複合光走査器は、回転軸に対して所定の角度で傾斜した線分が、回転軸を中心として周回しながら同時に回転軸方向に移動することによって得られる軌跡によって形成される第１の反射面を、回転軸方向に複数個有し、前記白色光を前記複合光走査器の回転軸と略平行な方向から前記複数のダイクロイックミラー面に順次入射させ、前記回転軸と略直角方向に分光反射させ、分光反射した複数の異なる色光をそれぞれ前記第２の反射面で反射させ、更に前記第１の反射面で反射させた後、前記走査レンズを通過させて、被照明領域を複数の異なる色光で順次走査することを特徴とする。
【００１３】
次に、本発明の投写映像装置は、上記第１〜第７のうちのいずれかの照明光学装置と、光変調装置と、光変調装置を駆動する電子回路と、投写光学装置とからなることを特徴とする。
【００１４】
更に、本発明の一体型映像表示装置は、上記投写映像装置とスクリーンとを筐体に納めて構成される。
【００１５】
本発明の照明光学装置によれば、光走査器あるいは複合光走査器による走査の直線性が良好であるために投写映像装置を構成する電子回路の構成が容易になる。また、風損が少なく、騒音が小さいことにより、光走査器あるいは複合光走査器を回転するのに必要な回転トルクが小さくてすみ、小型のモータで駆動可能であり、低コスト化と低消費電力化を実現できる。従って、走査の直線性がよく、風損が低減され、低コスト、低消費電力、低騒音の照明光学装置、投写映像装置、及び一体型映像表示装置を提供できる。
【００１６】
【発明の実施の形態】
以下、図面を参照して本発明の実施の形態を説明する。
【００１７】
（実施の形態１）
図１は本発明の第１の実施の形態の照明光学装置１０１が被照明領域１０５を複数の色光で順次走査して照明する構成を示す立面図である。赤色光２０７を走査する光走査器１０２、緑色光２０８を走査する光走査器１０３、青色光２０９を走査する光走査器１０４は、回転手段（図示せず）により、それぞれ矢印１０６、１０７、１０８の方向に回転する。走査された各色光は走査レンズ１０９、１１０、１１１により被照明領域１０５の幅方向に広げられると同時に、紙面に垂直方向に走査し照明する。
【００１８】
図２は図１の各光走査器１０２、１０３、１０４の構成を示す正面図である。円柱状の回転軸体２０１、２０２、２０３の側面につば状の反射面２０４、２０５、２０６が回転軸２１３、２１４、２１５方向に移動しながら（即ち、螺旋状に）設けられている。すなわち、反射面２０４、２０５、２０６は、回転軸に対して所定角度（例えば４５度）で傾斜した線分が、回転軸を中心として周回しながら、同時に回転軸方向に一定速度で移動する軌跡によって形成されている。換言すれば、ボルト等の雄ねじに刻まれた歯面、あるいはスクリューに形成された螺旋状の歯面と類似の形状を有している。また、反射面２０４、２０５、２０６は回転軸体の全周（３６０度）よりわずかに少ない角度範囲に形成されている。
【００１９】
図示しない光源から赤、緑、青の各色光が射出される。このような光源としては、例えば白色光光源と白色光を分光分岐する周知の手段を用いて構成することができる。
【００２０】
赤色光２０７は回転軸２１３と平行な方向から反射面２０４に入射し、回転軸２１３と直角方向に反射される。同様に、緑色光２０８は回転軸２１４と平行な方向から反射面２０５に入射し、回転軸２１４と直角方向に反射される。青色光２０９は回転軸２１５と平行な方向から反射面２０６に入射し、回転軸２１５と直角方向に反射される。
【００２１】
各光走査器１０２、１０３、１０４は回転手段であるモータ２１０、２１１、２１２により回転する。この結果、各光走査器上の反射面２０４、２０５、２０６に各色光が入射する位置が回転軸方向（高さ方向）に変化することで、各色光は走査され、走査レンズ１０９、１１０、１１１を介して被照明領域１０５を走査しながら照明する。
【００２２】
このとき、各光走査器の回転角度とそれぞれの反射面の高さ方向の変化量とが比例するように、即ち、反射面を形成する回転軸に対して傾斜した線分の、回転軸回りの回転角速度と回転軸方向の移動速度とが直線性を有するように、光走査器を構成し、且つ光走査器の回転速度を一定に維持すれば、走査の直線性は完全になる。
【００２３】
さらに、各光走査器１０２、１０３、１０４を同一形状に形成し、互いに所定の位相差を保ちながら、すなわち１２０度ずつ回転角（位相）をずらして回転させることで、被照明領域１０５を各色光が重なることなく順次走査することができる。
【００２４】
なお、上記の例では、光走査器と同数の走査レンズを用い、光走査器に一対一に対応させて走査レンズを配置しているが、本発明はこのような構成に限定されない。例えば、走査レンズの数を１つのみとし、複数の光走査器の反射面で反射された各色光を、共通する一つの走査レンズに入射させることもできる。このとき、複数の反射面で反射した複数の色光を共通する走査レンズに導くための反射ミラー又はプリズムと、各色光の光路長を等価的に同一にするためのリレーレンズとを用いて光学系を構成することが好ましいことは言うまでもない。
【００２５】
また、上記の例では、回転手段であるモータ２１０，２１１，２１２を、光走査器１０２，１０３，１０４に一対一に対応して設けているが、本発明はこのような構成に限定されない。例えば、１つのモータからの駆動力を周知の駆動力分配方法により分配して各光走査器１０２，１０３，１０４を回転させても良い。
【００２６】
（実施の形態２）
図３は本発明の第２の実施の形態の照明光学装置３０１が被照明領域１０５を複数の色光で順次走査して照明する構成を示す断面図である。
【００２７】
複合光走査器３０２は実施の形態１の光走査器１０２、１０３、１０４を回転軸方向に同軸となるように連結したのと同等の構成を有する。複合光走査器３０２は回転手段であるモータ３０３によって回転軸３１０回りに回転する。複合光走査器３０２の円柱状の回転軸体３１１の側面には複数の反射面３０４、３０５、３０６が設けられている。これらの反射面３０４、３０５、３０６は回転軸に対して所定の角度（例えば４５度）で傾斜した線分が、回転軸を中心として周回しながら、同時に回転軸に沿って移動する軌跡によって形成されている。さらに、３個の反射面３０４、３０５、３０６は回転方向に互いに所定の位相差を設けて、すなわち１２０度ずつ回転角（位相）をずらして回転軸体３１１上に形成されている。
【００２８】
図示しない光源から赤、緑、青の各色光が射出される。このような光源としては、例えば白色光光源と白色光を分光分岐する周知の手段を用いて構成することができる。
【００２９】
青色光３０７は回転軸３１０と平行な方向から反射面３０４に入射し、回転軸３１０と直角方向に反射される。緑色光３０８は回転軸３１０と平行な方向から反射面３０５に入射し、回転軸３１０と直角方向に反射される。赤色光３０９は回転軸３１０と平行な方向から反射面３０６に入射し、回転軸３１０と直角方向に反射される。
【００３０】
複合光走査器３０２は回転手段であるモータ３０３により回転される。この結果、複合光走査器３０２上の各反射面３０４、３０５、３０６に各色光が入射する位置が回転軸方向（高さ方向）に変化することで、各色光は走査され、走査レンズ１０９、１１０、１１１を介して被照明領域１０５を走査しながら照明する。
【００３１】
このとき、回転角度と反射面の高さ方向（回転軸３１０方向）の変化量とが比例するように反射面を形成しておけば、走査の直線性は完全になる。
【００３２】
さらに、各反射面３０４、３０５、３０６を回転方向に互いに所定の位相差を設けて、すなわち１２０度ずつ回転角（位相）をずらして回転軸体３１１に一体化していることで、被照明領域１０５を各色光が重なることなく順次走査することができる。
【００３３】
なお、上記の例では、反射面と同数の走査レンズを用い、反射面に一対一に対応させて走査レンズを配置しているが、本発明はこのような構成に限定されない。例えば、走査レンズの数を１つのみとし、複数の反射面で反射された各色光を、共通する一つの走査レンズに入射させることもできる。このとき、複数の反射面で反射した複数の色光を共通する走査レンズに導くための反射ミラー又はプリズムと、各色光の光路長を等価的に同一にするためのリレーレンズとを用いて光学系を構成することが好ましいことは言うまでもない。
【００３４】
（実施の形態３）
図４は本発明の第３の実施の形態の照明光学装置４０１が被照明領域１０５を複数の色光で順次走査して照明する構成を示す正面図、図５はその断面図である。
【００３５】
複合光走査器４０２は、回転手段であるモータ３０３によって回転される。複合光走査器４０２の円柱状の回転軸体４０７の側面には３つのダイクロイックミラー面４０３、４０４、４０５が設けられている。これらのダイクロイックミラー面は回転軸３１０に対して所定の角度（例えば４５度）で傾斜した線分が、回転軸を中心として周回しながら、同時に回転軸に沿って移動する軌跡によって形成されている。さらに、３個のダイクロイックミラー面４０３、４０４、４０５は回転方向に互いに所定の位相差を設けて、すなわち１２０度ずつ回転角（位相）をずらして回転軸体４０７と一体化され複合光走査器４０２を構成している。
【００３６】
図示しない白色光源からの白色光４０６は回転軸３１０と平行な方向からダイクロイックミラー面４０３に入射し、青色光成分は回転軸３１０と直角方向に反射され、走査レンズ１０９を介して被照明領域１０５を走査し照明する。白色光から青色光成分が除かれた色光はダイクロイックミラー面４０４に入射し、緑色光成分は回転軸３１０と直角方向に反射され、走査レンズ１１０を介して被照明領域１０５を走査し照明する。白色光から青および緑色光成分が除かれた色光はダイクロイックミラー面４０５に入射し、赤色光成分は回転軸３１０と直角方向に反射され、走査レンズ１１１を介して被照明領域１０５を走査し照明する。
【００３７】
このとき、複合光走査器４０２の回転角度とダイクロイックミラー面の高さ方向（回転軸３１０方向）の変化量とが比例するようにダイクロイックミラー面を形成しておけば、走査の直線性は完全になる。
【００３８】
さらに、各ダイクロイックミラー面４０３、４０４、４０５を回転方向に互いに所定の位相差を設けて、すなわち１２０度ずつ回転角（位相）をずらして回転軸体４０７に一体化していることで、被照明領域１０５を各色光で重なることなく順次走査することができる。
【００３９】
なお、ダイクロイックミラー面の白色光の入射側からの並びの順番、すなわち分光反射特性の順番を、上記のように青色光、緑色光、赤色光にすることにより、少ない層数のダイクロイックミラー面により最後に分光される赤色光中に含まれる不要分光成分を抑制することができ、低コストで色純度の高い照明光学装置を提供することができる。
【００４０】
また、分光反射特性の順番を、赤色光、緑色光、青色光にすることにより、赤色光成分の利用効率を高めることができるので、赤色光成分の発光スペクトル成分が低い高圧水銀ランプを用いる場合でも光利用効率の高い照明光学装置を提供することができる。
【００４１】
なお、最後に色光が入射するダイクロイックミラー面４０５は、入射する色光に不要な色光成分が含まれていなければダイクロイックミラー面に代えて一般的な反射面を用いても同様な照明光学装置を構成できる。
【００４２】
なお、上記の例では、ダイクロイックミラー面と同数の走査レンズを用い、ダイクロイックミラー面に一対一に対応させて走査レンズを配置しているが、本発明はこのような構成に限定されない。例えば、走査レンズの数を１つのみとし、複数のダイクロイックミラー面で反射された各色光を、共通する一つの走査レンズに入射させることもできる。このとき、複数のダイクロイックミラー面で反射した複数の色光を共通する走査レンズに導くための反射ミラー又はプリズムと、各色光の光路長を等価的に同一にするためのリレーレンズとを用いて光学系を構成することが好ましいことは言うまでもない。
【００４３】
（実施の形態４）
図６は本発明の第４の実施の形態の照明光学装置６０１が被照明領域１０５を複数の色光で順次走査して照明する構成を示す断面図である。
【００４４】
複合光走査器６０２は、回転手段であるモータ３０３によって回転される。複合光走査器６０２の円筒状の回転軸体６０３の側面には３つの第１の反射面６０４、６０５、６０６と３つの第２の反射面６０７、６０８、６０９が交互に設けられている。第１の反射面６０４、６０５、６０６は、実施の形態２に示した反射面３０４、３０５、３０６と同様に、回転軸３１０に対して所定の角度（例えば４５度）で傾斜した線分が、回転軸を中心として周回しながら、同時に回転軸に沿って移動する軌跡によって形成されている。さらに、第２の反射面６０７、６０８、６０９は、円錐面の一部を形成するように、回転軸３１０に対して所定の角度（例えば４５度）で傾斜した線分が、回転軸を中心として回転軸に垂直な面内で周回する軌跡によって形成されている。さらに、３つの第１の反射面６０４、６０５、６０６は回転方向に互いに所定の位相差を設けて、すなわち１２０度ずつ回転角（位相）をずらして回転軸体６０３上に形成されている。
【００４５】
中空円筒状の回転軸体６０３の中心部の空間には、３つの第３の反射面６１０、６１１、６１２が回転軸３１０に対して所定角度傾斜させて設けられている。
【００４６】
図示しない光源から赤、緑、青の各色光が射出される。このような光源としては、例えば白色光光源と白色光を分光分岐する周知の手段を用いて構成することができる。
【００４７】
青色光６１３は回転軸３１０と平行な方向から入射し、第３の反射面６１０で回転軸３１０と略垂直方向に反射され、第２の反射面６０７に入射する。ここで反射された青色光は第１の反射面６０４に入射し、回転軸３１０と直角方向に反射された後、走査レンズ１０９を介して被照明領域１０５を走査し照明する。同様に、緑色光６１４は回転軸３１０と平行な方向から入射し、第３の反射面６１１で回転軸３１０と略垂直方向に反射され、第２の反射面６０８に入射する。ここで反射された緑色光は第１の反射面６０５に入射し、回転軸３１０と直角方向に反射された後、走査レンズ１１０を介して被照明領域１０５を走査し照明する。さらに、赤色光６１５は回転軸３１０と平行な方向から入射し、第３の反射面６１２で回転軸３１０と略垂直方向に反射され、第２の反射面６０９に入射する。ここで反射された赤色光は第１の反射面６０６に入射し、回転軸３１０と直角方向に反射された後、走査レンズ１１１を介して被照明領域１０５を走査し照明する。
【００４８】
このとき、回転角度と第１の反射面６０４、６０５、６０６の高さ方向（回転軸３１０方向）の変化量とが比例するように第１の反射面を形成しておけば、走査の直線性は完全になる。
【００４９】
さらに、各第１の反射面６０４、６０５、６０６を回転方向に互いに所定の位相差を設けて、すなわち１２０度ずつ回転角（位相）をずらして回転軸体６０３に一体化していることで、被照明領域１０５を各色光で重なることなく順次走査することができる。
【００５０】
また、中空部を有する複合光走査器を構成する部材（回転軸体６０３）は光透過性であり、光利用効率を高めるために該部材の光透過率は７０％以上であることが望ましい。光透過率が低いと、光の吸収による損失が大きくなり、光利用効率が低下する。
【００５１】
なお、上記の例では、第１の反射面と同数の走査レンズを用い、第１の反射面に一対一に対応させて走査レンズを配置しているが、本発明はこのような構成に限定されない。例えば、走査レンズの数を１つのみとし、複数の第１の反射面で反射された各色光を、共通する一つの走査レンズに入射させることもできる。このとき、複数の第１の反射面で反射した複数の色光を共通する走査レンズに導くための反射ミラー又はプリズムと、各色光の光路長を等価的に同一にするためのリレーレンズとを用いて光学系を構成することが好ましいことは言うまでもない。
【００５２】
（実施の形態５）
図７は本発明の第５の実施の形態の照明光学装置７０１が被照明領域１０５を複数の色光で順次走査して照明する構成を示す断面図である。
【００５３】
複合光走査器６０２は、回転手段であるモータ３０３によって回転される。複合光走査器６０２の円筒状の回転軸体６０３の側面には３つの第１の反射面６０４、６０５、６０６と３つの第２の反射面６０７、６０８、６０９が交互に設けられている。第１の反射面６０４、６０５、６０６は、実施の形態２に示した反射面３０４、３０５、３０６と同様に、回転軸３１０に対して所定の角度（例えば４５度）で傾斜した線分が、回転軸を中心として周回しながら、同時に回転軸に沿って移動する軌跡によって形成されている。さらに、第２の反射面６０７、６０８、６０９は、円錐面の一部を形成するように、回転軸３１０に対して所定の角度（例えば４５度）で傾斜した線分が、回転軸を中心として回転軸に垂直な面内で周回する軌跡によって形成されている。さらに、３つの第１の反射面６０４、６０５、６０６は回転方向に互いに所定の位相差を設けて、すなわち１２０度ずつ回転角（位相）をずらして回転軸体６０３上に形成されている。
【００５４】
中空円筒状の回転軸体６０３の中心部の空間には、３つのダイクロイックミラー面７０３、７０４、７０５が回転軸３１０に対して所定角度傾斜させて、一直線上に設けられている。
【００５５】
図示しない白色光源からの白色光７０２は回転軸と平行な方向から回転軸体６０３の中央部に入射し、ダイクロイックミラー面７０３に入射し、青色光成分は回転軸３１０に略垂直方向に反射され第２の反射面６０７に入射する。ここで反射された青色光は第１の反射面６０４に入射し、回転軸３１０と直角方向に反射された後、走査レンズ１０９を介して被照明領域１０５を走査し照明する。同様に、白色光から青色光成分が除かれた色光はダイクロイックミラー面７０４に入射し、緑色光成分は回転軸３１０に略垂直方向に反射され第２の反射面６０８に入射する。ここで反射された緑色光は第１の反射面６０５に入射し、回転軸３１０と直角方向に反射された後、走査レンズ１１０を介して被照明領域１０５を走査し照明する。さらに、白色光から青および緑色光成分が除かれた色光はダイクロイックミラー面７０５に入射し、赤色光成分は回転軸３１０に略垂直方向に反射され第２の反射面６０９に入射する。ここで反射された赤色光は第１の反射面６０６に入射し、回転軸３１０と直角方向に反射された後、走査レンズ１１１を介して被照明領域１０５を走査し照明する。
【００５６】
このとき、回転角度と第１の反射面６０４、６０５、６０６の高さ方向（回転軸３１０方向）の変化量とが比例するように第１の反射面を形成しておけば、走査の直線性は完全になる。
【００５７】
さらに、各第１の反射面６０４、６０５、６０６を回転方向に互いに所定の位相差を設けて、すなわち１２０度ずつ回転角（位相）をずらして回転軸体６０３に一体化していることで、被照明領域１０５を各色光で重なることなく順次走査することができる。
【００５８】
また、中空部を有する複合光走査器を構成する部材（回転軸体６０３）は光透過性であり、光利用効率を高めるために該部材の光透過率は７０％以上であることが望ましい。光透過率が低いと、光の吸収による損失が大きくなり、光利用効率が低下する。
【００５９】
なお、ダイクロイックミラー面の白色光の入射側からの並びの順番、すなわち分光反射特性の順番を、上記のように青色光、緑色光、赤色光にすることにより、少ない層数のダイクロイックミラー面により最後に分光される赤色光中に含まれる不要分光成分を抑制することができ、低コストで色純度の高い照明光学装置を提供することができる。
【００６０】
また、分光反射特性の順番を、赤色光、緑色光、青色光にすることにより、赤色光成分の利用効率を高めることができるので、赤色光成分の発光スペクトル成分が低い高圧水銀ランプを用いる場合でも光利用効率の高い照明光学装置を提供することができる。
【００６１】
なお、最後に色光が入射するダイクロイックミラー面７０５は、入射する色光に不要な色光成分が含まれていなければダイクロイックミラー面に代えて一般的な反射面を用いても同様な照明光学装置を構成できる。
【００６２】
なお、上記の例では、第１の反射面と同数の走査レンズを用い、第１の反射面に一対一に対応させて走査レンズを配置しているが、本発明はこのような構成に限定されない。例えば、走査レンズの数を１つのみとし、複数の第１の反射面で反射された各色光を、共通する一つの走査レンズに入射させることもできる。このとき、複数の第１の反射面で反射した複数の色光を共通する走査レンズに導くための反射ミラー又はプリズムと、各色光の光路長を等価的に同一にするためのリレーレンズとを用いて光学系を構成することが好ましいことは言うまでもない。
【００６３】
（実施の形態６）
図８は本発明の第６の実施の形態の照明光学装置８０１が被照明領域１０５を複数の色光で順次走査して照明する構成を示す断面図である。
【００６４】
複合光走査器８０２は、回転手段であるモータ３０３によって回転される。複合光走査器８０２の円筒状の回転軸体８０３の側面には３つの第１の反射面８０４、８０５、８０６が設けられている。第１の反射面８０４、８０５、８０６は、実施の形態２に示した反射面３０４、３０５、３０６と同様に、回転軸３１０に対して所定の角度（例えば４５度）で傾斜した線分が、回転軸を中心として周回しながら、同時に回転軸に沿って移動する軌跡によって形成されている。さらに、３つの第１の反射面８０４、８０５、８０６は回転方向に互いに所定の位相差を設けて、すなわち１２０度ずつ回転角（位相）をずらして回転軸体８０３に一体化され複合光走査器を構成している。
【００６５】
中空円筒状の回転軸体８０３の中心部の空間には、３つの第２の反射面８０７、８０８、８０９が回転軸３１０に対して所定角度傾斜させて設けられている。
【００６６】
加えて、複合光走査器を構成する第１の反射面８０４、８０５、８０６とそれぞれ対向する位置に３つの第３の反射面８１０、８１１、８１２が設けられている。
【００６７】
図示しない光源から赤、緑、青の各色光が射出される。このような光源としては、例えば白色光光源と白色光を分光分岐する周知の手段を用いて構成することができる。
【００６８】
青色光８１３は回転軸３１０と平行な方向から入射し、第２の反射面８０７に入射し、回転軸３１０と略垂直方向に反射され、第３の反射面８１０に入射する。ここで反射された青色光は第１の反射面８０４に入射し、回転軸３１０と直角方向に反射された後、走査レンズ１０９を介して被照明領域１０５を走査し照明する。同様に、緑色光８１４は回転軸３１０と平行な方向から入射し、第２の反射面８０８に入射し、回転軸３１０と略垂直方向に反射され、第３の反射面８１１に入射する。ここで反射された緑色光は第１の反射面８０５に入射し、回転軸３１０と直角方向に反射された後、走査レンズ１１０を介して被照明領域１０５を走査し照明する。さらに同様に、赤色光８１５は回転軸３１０と平行な方向から入射し、第２の反射面８０９に入射し、回転軸３１０と略垂直方向に反射され、第３の反射面８１２に入射する。ここで反射された赤色光は第１の反射面８０６に入射し、回転軸３１０と直角方向に反射された後、走査レンズ１１１を介して被照明領域１０５を走査し照明する。
【００６９】
このとき、回転角度と第１の反射面８０４、８０５、８０６の高さ方向（回転軸３１０方向）の変化量とが比例するように第１の反射面を形成しておけば、走査の直線性は完全になる。
【００７０】
さらに、各第１の反射面８０４、８０５、８０６を回転方向に互いに所定の位相差を設けて、すなわち１２０度ずつ回転角（位相）をずらして回転軸体８０３に一体化していることで、被照明領域１０５を各色光で重なることなく順次走査することができる。
【００７１】
また、中空部を有する複合光走査器を構成する部材（回転軸体８０３）は光透過性であり、光利用効率を高めるために該部材の光透過率は７０％以上であることが望ましい。光透過率が低いと、光の吸収による損失が大きくなり、光利用効率が低下する。
【００７２】
なお、上記の例では、第１の反射面と同数の走査レンズを用い、第１の反射面に一対一に対応させて走査レンズを配置しているが、本発明はこのような構成に限定されない。例えば、走査レンズの数を１つのみとし、複数の第１の反射面で反射された各色光を、共通する一つの走査レンズに入射させることもできる。このとき、複数の第１の反射面で反射した複数の色光を共通する走査レンズに導くための反射ミラー又はプリズムと、各色光の光路長を等価的に同一にするためのリレーレンズとを用いて光学系を構成することが好ましいことは言うまでもない。
【００７３】
（実施の形態７）
図９は本発明の第７の実施の形態の照明光学装置９０１が被照明領域１０５を複数の色光で順次走査して照明する構成を示す断面図である。
【００７４】
複合光走査器８０２は、回転手段であるモータ３０３によって回転される。複合光走査器８０２の円筒状の回転軸体８０３の側面には３つの第１の反射面８０４、８０５、８０６が設けられている。第１の反射面８０４、８０５、８０６は、実施の形態２に示した反射面３０４、３０５、３０６と同様に、回転軸３１０に対して所定の角度（例えば４５度）で傾斜した線分が、回転軸を中心として周回しながら、同時に回転軸に沿って移動する軌跡によって形成されている。さらに、３つの第１の反射面８０４、８０５、８０６は回転方向に互いに所定の位相差を設けて、すなわち１２０度ずつ回転角（位相）をずらして回転軸体８０３上に形成されている。
【００７５】
中空円筒状の回転軸体８０３の中心部の空間には、３つのダイクロイックミラー面７０３、７０４、７０５が回転軸３１０に対して所定角度傾斜させて一直線上に設けられている。
【００７６】
加えて、光走査器を構成する第１の反射面８０４、８０５、８０６とそれぞれ対向する位置に３つの第２の反射面９１０、９１１、９１２が設けられている。
【００７７】
図示しない白色光源からの白色光７０２は回転軸３１０と平行な方向から回転軸体８０２の中央部に入射し、ダイクロイックミラー面７０３に入射し、青色光成分は回転軸３１０と略垂直方向に反射され、第２の反射面９１０に入射する。ここで反射された青色光は第１の反射面８０４に入射し、回転軸３１０と略垂直方向に反射された後、走査レンズ１０９を介して被照明領域１０５を走査し照明する。同様に、白色光から青色光成分が除かれた色光はダイクロイックミラー面７０４に入射し、緑色光成分は回転軸３１０と略垂直方向に反射され、第２の反射面９１１に入射する。ここで反射された緑色光は第１の反射面８０５に入射し、回転軸３１０と略垂直方向に反射された後、走査レンズ１１０を介して被照明領域１０５を走査し照明する。さらに、白色光から青および緑色光成分が除かれた色光はダイクロイックミラー面７０５に入射し、赤色光成分は回転軸３１０と略垂直方向に反射され、第２の反射面９１２に入射する。ここで反射された赤色光は第１の反射面８０６に入射し、回転軸３１０と略垂直方向に反射された後、走査レンズ１１１を介して被照明領域１０５を走査し照明する。
【００７８】
このとき、回転角度と第１の反射面８０４、８０５、８０６の高さ方向（回転軸３１０方向）の変化量とが比例するように第１の反射面を形成しておけば、走査の直線性は完全になる。
【００７９】
さらに、各第１の反射面８０４、８０５、８０６は回転方向に互いに所定の位相差を設けて、すなわち１２０度ずつ回転角（位相）をずらして回転軸体８０３に一体化していることで、被照明領域１０５を各色光で重なることなく順次走査することができる。
【００８０】
また、中空部を有する複合光走査器を構成する部材（回転軸体８０３）は光透過性であり、光利用効率を高めるために該部材の光透過率は７０％以上であることが望ましい。光透過率が低いと、光の吸収による損失が大きくなり、光利用効率が低下する。
【００８１】
なお、ダイクロイックミラー面の白色光の入射側からの並びの順番、すなわち分光反射特性の順番を、上記のように青色光、緑色光、赤色光にすることにより、少ない層数のダイクロイックミラー面により最後に分光される赤色光中に含まれる不要分光成分を抑制することができ、低コストで色純度の高い照明光学装置を提供することができる。
【００８２】
また、分光反射特性の順番を、赤色光、緑色光、青色光にすることにより、赤色光成分の利用効率を高めることができるので、赤色光成分の発光スペクトル成分が低い高圧水銀ランプを用いる場合でも光利用効率の高い照明光学装置を提供することができる。
【００８３】
なお、最後に色光が入射するダイクロイックミラー面７０５は、入射する色光に不要な色光成分が含まれていなければダイクロイックミラー面に代えて一般的な反射面を用いても同様な照明光学装置を構成できる。
【００８４】
なお、上記の例では、第１の反射面と同数の走査レンズを用い、第１の反射面に一対一に対応させて走査レンズを配置しているが、本発明はこのような構成に限定されない。例えば、走査レンズの数を１つのみとし、複数の第１の反射面で反射された各色光を、共通する一つの走査レンズに入射させることもできる。このとき、複数の第１の反射面で反射した複数の色光を共通する走査レンズに導くための反射ミラー又はプリズムと、各色光の光路長を等価的に同一にするためのリレーレンズとを用いて光学系を構成することが好ましいことは言うまでもない。
【００８５】
上記の実施の形態１〜７中の光走査器あるいは複合光走査器の周囲に形成される反射面は、アルミなどの金属物を反射面となる対象の面に蒸着することで実現できる。
【００８６】
（実施の形態８）
図１０は、本発明の照明光学装置１００１と、照明光学装置１００１によって異なる色光によって順次走査され照明される光変調装置１００２と、光変調装置１００２を駆動する電子回路１００３と、光変調装置１００２によって変調された光を投射する投写光学装置１００４とから構成される本発明の第８の実施の形態の投写映像装置１００５の構成図である。投写映像装置１００５によってスクリーン１００６上に映像情報が拡大投影される。照明光学装置１００１としては、上記の実施の形態１〜７のいずれかの照明光学装置を用いることができる。電子回路１００３は、異なる色光によって順次走査される光変調装置１００２に適した駆動信号を映像信号に応じて生成し、光変調装置１００２を駆動する。光変調装置１００２としては、例えば透過型の液晶表示パネルを用いることができる。
【００８７】
以上の構成によれば、照明光学装置１００１の走査の直線性が良好であるため、電子回路１００３の構成が容易であること、風損が少なく小型のモータで走査が可能であること、低騒音であること等により、産業上の価値の高い投写映像装置を提供することができる。
【００８８】
（実施の形態９）
図１１は、本発明の実施の形態８の投写映像装置１００５と、折り返し反射鏡１１０１と、透過型スクリーン１１０２とを筐体１１０３に納めた本発明の第９の実施の形態の一体型映像表示装置１１０４の構成図である。
【００８９】
以上の構成によれば、照明光学装置の走査の直線性が良好であるため、電子回路の構成が容易であること、風損が少なく小型のモータで走査が可能であること、低騒音であること等により、産業上の価値の高い一体型映像表示装置を提供することができる。
【００９０】
以上に説明した実施の形態は、いずれもあくまでも本発明の技術的内容を明らかにする意図のものであって、本発明はこのような具体例にのみ限定して解釈されるものではなく、その発明の精神と請求の範囲に記載する範囲内でいろいろと変更して実施することができ、本発明を広義に解釈すべきである。
【００９１】
【発明の効果】
以上のように本発明の照明光学装置によれば、光走査器あるいは複合光走査器による走査の直線性が良好であるために投写映像装置を構成する電子回路の構成が容易になる。また、風損が少なく、騒音が小さいことにより、光走査器あるいは複合光走査器を回転するのに必要な回転トルクが小さくてすみ、小型のモータで駆動可能であり、低コスト化と低消費電力化を実現できる。従って、走査の直線性がよく、風損が低減され、低コスト、低消費電力、低騒音の照明光学装置、投写映像装置、及び一体型映像表示装置を提供できる。
【図面の簡単な説明】
【図１】本発明の第１の実施の形態の照明光学装置の概略構成を示す立面図
【図２】本発明の第１の実施の形態の光走査器の構成を示す正面図
【図３】本発明の第２の実施の形態の照明光学装置の概略構成を示す断面図
【図４】本発明の第３の実施の形態の照明光学装置の概略構成を示す正面図
【図５】本発明の第３の実施の形態の照明光学装置の概略構成を示す断面図
【図６】本発明の第４の実施の形態の照明光学装置の概略構成を示す断面図
【図７】本発明の第５の実施の形態の照明光学装置の概略構成を示す断面図
【図８】本発明の第６の実施の形態の照明光学装置の概略構成を示す断面図
【図９】本発明の第７の実施の形態の照明光学装置の概略構成を示す断面図
【図１０】本発明の第８の実施の形態の投写映像装置の構成図
【図１１】本発明の第９の実施の形態の一体型映像表示装置の構成図
【符号の説明】
１０１  照明光学装置
１０２，１０３，１０４  光走査器
１０５  被照明領域
１０９，１１０，１１１  走査レンズ
２０１，２０２，２０３  回転軸体
２０４，２０５，２０６  反射面
２０７  赤色光
２０８  緑色光
２０９  青色光
２１０，２１１，２１２  モータ
２１３，２１４，２１５  回転軸
３０１  照明光学装置
３０２  複合光走査器
３０３  モータ
３０４，３０５，３０６  反射面
３０７  青色光
３０８  緑色光
３０９  赤色光
３１０  回転軸
３１１  回転軸体
４０１  照明光学装置
４０２  複合光走査器
４０３，４０４，４０５  ダイクロイックミラー面
４０６  白色光
４０７  回転軸体
６０１  照明光学装置
６０２  複合光走査器
６０３  回転軸体
６０４，６０５，６０６  第１の反射面
６０７，６０８，６０９  第２の反射面
６１０，６１１，６１２  第３の反射面
６１３  青色光
６１４  緑色光
６１５  赤色光
７０１  照明光学装置
７０２  白色光
７０３，７０４，７０５  ダイクロイックミラー面
８０１  照明光学装置
８０２  複合光走査器
８０３  回転軸体
８０４，８０５，８０６  第１の反射面
８０７，８０８，８０９  第２の反射面
８１０，８１１，８１２  第３の反射面
８１３  青色光
８１４  緑色光
８１５  赤色光
９０１  照明光学装置
９１０，９１１，９１２  第２の反射面
１００１  照明光学装置
１００２  光変調装置
１００３  電子回路
１００４  投写光学装置
１００５  投写映像装置
１００６  スクリーン
１１０１  折り返し反射鏡
１１０２  透過型スクリーン
１１０３  筐体
１１０４  一体型映像表示装置
【図１】
0004638076.tif 000002
【図２】
0004638076.tif 000003
【図３】
0004638076.tif 000004
【図４】
0004638076.tif 000005
【図５】
0004638076.tif 000006
【図６】
0004638076.tif 000007
【図７】
0004638076.tif 000008
【図８】
0004638076.tif 000009
【図９】
0004638076.tif 000010
【図１０】
0004638076.tif 000011
【図１１】
0004638076.tif 000012